【事件の表示】
　特許第２７９７８１５号　「浄水装置」の請求項１乃至６に係る特許に対する特許異議の申立てについて、次のとおり決定する。
【結　論】
　訂正を認める。
　特許第２７９７８１５号の請求項１乃至５に係る特許を維持する。
【理　由】
１．手続きの経緯
　本件特許２７９７８１５号は、平成４年２月２４日に特許出願され、平成１０年７月３日にその特許の設定登録がなされたものである。
　これに対し、その後吉川喜一郎より本件請求項１乃至６に係る発明について特許異議の申立てがなされ、取消理由通知がなされ、その指定期間内の平成１１年８月１０日に訂正請求がなされたが、この訂正請求に対し訂正拒絶理由通知がなされ、平成１２年２月２２日付けで手続補正がなされたものである。
２．訂正の適否についての判断
（１）訂正請求書の補正の適否について
　この補正は、特許請求の範囲の減縮とこの減縮に伴う明りょうでない記載の釈明を目的とするものであり、訂正請求書の要旨を変更するものではないから、特許法第１２０条の４第３項において準用する同法第１３１条第２項の規定に適合する。
（２）訂正事項
　特許権者が求めている訂正事項は、手続補正書によって補正された全文訂正明細書のとおり、すなわち次の（ｉ）及び（ｉｉ）のとおりである。
（ｉ）「特許請求の範囲」の欄
　特許請求の範囲の減縮を目的として、次のとおりに訂正請求されている。
「【請求項１】濾材を収納する濾材容器と、前記濾材容器の内部を昇温させる加熱手段と、前記濾材容器に水を導入する流入管と、前記濾材容器からの浄水を吐出する第１の吐出管と、前記濾材を洗浄した排水を吐出する第２の吐出管と、前記第１の吐出管に水を導くか、前記第２の吐出管に水を導くかの切換を行う水路切換手段と、前記加熱手段及び前記水路切換手段を制御する制御手段と、時刻を入力する時刻入力手段と、入力された時刻で動作する時計とを備え、前記時計に基づいて、所定の時刻になったら前記制御手段は加熱モードに移行し、前記加熱手段を用いて、前記濾材容器を加熱する浄水装置であって，前記水路切換手段は、前記濾材容器の上方に設けられた第１の水路切換部と、前記濾材容器の下方に設けられ、モータにより駆動される第２の水路切換部とを備え、前記加熱手段による前記濾材容器の加熱が終了した後、前記水路切換手段が動作することを特徴とする浄水装置。
【請求項２】濾材を収納する濾材容器と、前記濾材容器の内部を昇温させる加熱手段と、前記濾材容器に水を導入する流入管と、前記濾材容器からの浄水を吐出する第１の吐出管と、前記濾材を洗浄した排水を吐出する第２の吐出管と、時刻を入力する時刻入力手段と、前記時刻入力手段から入力された時刻で動作する時計と、前記第１の吐出管に水を導くか、前記第２の吐出管に水を導くかの切換を行う水路切換手段と、前記加熱手段及び前記水路切換手段を制御する制御手段とを備え、前記時計に基づいて、所定の時刻になったら前記制御手段は加熱モードに移行し、前記加熱手段を用いて、前記濾材容器を加熱する浄水装置であって、前記水路切換手段は、前記濾材容器の上方に設けられた第１の水路切換部と、前記濾材容器の下方に設けられ、モータにより駆動される第２の水路切換部とを備え、前記加熱手段による前記濾材容器の加熱が終了し、前記濾材容器内に通水して前記第２の吐出管から排水した後、前記水路切換手段を動作させることを特徴とする浄水装置。
【請求項３】現在時刻を表示する表示手段を設けたことを特徴とする請求項１、２いずれか１記載の浄水装置。
【請求項４】モータを濾材容器よりも下方に設けたことを特徴とする請求項１、２いずれか１記載の浄水装置。
【請求項５】加熱手段を濾材容器の底部に設けたことを特徴とする請求項１、２いずれか１記載の浄水装置。」
（ｉｉ）「発明の詳細な説明」の欄
　明りょうでない記載の釈明を目的として、次のとおりに訂正請求されている。
（イ）特許明細書の段落【００１０】を次のとおりに訂正する。
「【課題を解決するための手段】この目的を達成するために、濾材を収納する濾材容器と、濾材容器の内部を昇温させる加熱手段と、前記濾材容器に水を導入する流入管と、前記濾材容器からの浄水を吐出する第１の吐出管と、前記濾材を熱洗浄した排水を吐出する第２の吐出管と、第１の吐出管に水を導くか、第２の吐出管に水を導くかの切換を行う水路切換手段と、加熱手段及び水路切換手段を制御する制御手段とを備えた浄水装置であって、水路切換手段は、濾材容器の上方に設けられた第１の水路切換部と、濾材容器の下方に設けられ、モータにより駆動される第２の水路切換部とを備え、加熱手段による濾材容器の加熱が終了した後、モータを駆動させて前記水路切換手段を動作させるようにした。更に好ましくは加熱手段の動作が終了し、濾材容器内に通水して第１の吐出管から排水した後、水路切換手段を動作させるようにした。」
（ロ）特許明細書の段落【００１１】の一部を次のとおりに訂正する。
「また第１の吐出管に水を導くか、第２の吐出管に水を導くかの切換を行う水路切換手段と、加熱手段及び水路切換手段を制御する制御手段とを備えた浄水装置であって、水路切換手段は、濾材容器の上方に設けられた第１の水路切換部と、濾材容器の下方に設けられ、モータにより駆動される第２の水路切換部とを備え、加熱手段の動作を終了した後、モータを駆動させて水路切換手段を動作させるようにしたことにより、水路の切換を確実に行うことができ、浄水を吐出する第１の吐出管に汚水が混入することを防止できる。
・・・濾材容器内に通水して第２の吐出管から排水した後、」
（ハ）特許明細書の段落【００２６】の一部を次のとおりに訂正する。
「また、モータにより駆動され、浄水を吐出する第１の吐出管に水を導くか、濾材の熱洗浄した排水を吐出する第２の吐出管に水を導くかの切換を行う水路切換手段と、前記加熱手段及び前記水路切換手段を制御する制御手段とを備えた浄水装置であって、水路切換手段は、濾材容器の上方に設けられた第１の水路切換部と、濾材容器の下方に設けられ、モータにより駆動される第２の水路切換部とを備え、加熱手段の動作を終了した後、モータを駆動させて前記水路切換手段を動作させるようにしたことにより、水路の切換を確実に行うことができ、浄水を吐出する第１の吐出管に排水が混入することを防止できるので、濾過水に不純物等が含まれない浄水装置を提供することができる。また例えば加熱中に誤って切換手段が切り換わることにより、」
（３）訂正の目的の適否、新規事項の有無及び拡張・変更の存否
　上記訂正は、特許請求の範囲の減縮やこの減縮に伴う明りょうでない記載の釈明に該当するものであって、いずれも特許明細書に記載した事項の範囲内でなされたものであるから新規事項の追加に該当せず、また当該訂正によって実質上特許請求の範囲を拡張し又は変更するものでもない。
（４）独立特許要件の判断
（本件訂正発明）
　本件訂正明細書の請求項１乃至５に係る発明（以下、「訂正発明１乃至５」という）は、平成１２年２月２２日付け手続補正で補正された訂正明細書の上記（２）（ｉ）に示す請求項１乃至５に記載された事項により特定されるとおりのものである。
（引用刊行物）
　当審が取消理由通知及び訂正拒絶理由通知において引用した刊行物１乃至４には、それぞれ次の事項が記載されている。
引用例１：特開昭６４−５１１８９号公報
（イ）「本発明は吸着材を用いた浄水装置に加熱器を付設した、吸着材の有害物除去能力再生と殺菌を行い得る衛生的な浄水装置に関するものである。」（第１頁左欄）
（ロ）「水および吸着材の熱伝導率は小さく・・・熱伝導のみによる該吸着材の加熱は実用上困難である。そのため本発明では加熱器と吸着材および吸着材充填容器との間に対流可能な間隔を設け、水の対流により吸着材充填容器周囲全体の水温を上昇させ該容器周囲全体から吸着材を加熱することとした。」（第２頁左欄第１７行乃至右欄第４行）
（ハ）「第一図は吸着剤充填容器周囲に水層を有する本発明の一実施例の縦断面図である。浄水装置入り口１から入った水は吸着材充填容器３周囲の水層２を通り、該容器３下部に設けられたフィルター４を通り吸着材層５に入りここで浄化されたフィルター４−１を通って内管７を経て出口８から出て分岐点６で分岐され、使用時には蛇口１３を開いて使用され、排水時には弁１２より排水される。次に吸着材の再生について説明する。・・・加熱器９の通電により熱せられた加熱器周囲の水は対流して水層２内をほぼ均一に昇温する。・・・やがて高温に達し、吸着材は吸着物を脱離し周辺の水中へ溶出する。高温脱離後、弁１１および／または弁１２を開き吸着物を含んだ吸着材層内の水を排出する。・・・弁１１、弁１２は必ずしも必要ではなく具体的使用に応じて、電磁弁、逆止弁、リリーフ弁、蛇口などのうち、適切な弁を付設すれば良い。」（第２頁上段右欄第２０行乃至下段右欄第６行）
（ニ）「加熱や流水の指示はタイマーを用いた制御回路を設け自動的に吸着能再生を行える構成としている。」（第２頁下段右欄）
引用例２：特開平２−６４４９７号公報
この証拠には、「本発明はワンチップコンピュータを用いたタイマー及び軟水装置の制御装置に関するものである。」（第２頁上段右欄）と記載され、「タイマーと軟水装置の制御」に関する記載がある。
引用例３：特開昭６３−５１９９２号公報
この証拠には、「本発明は連続式電解水処理装置の給排水、洗浄回路に関し、」（第１頁右欄）と記載され、「切換弁」に関する記載がある。
引用例４：特開平２−１５７５６４号公報
この証拠には、「本発明は、給湯栓からの給湯、および浴槽に対する湯張りならびに高温差し湯を行なうことができる給湯器に関するものである。」（第１頁右欄）と記載され、「三方ボールバルブの切換弁」に関する記載がある。
（対比・判断）
（ｉ）訂正発明１について
　上記引用例１には、吸着材（濾材に相当）を収納する容器に加熱器（加熱手段に相当）を付設して水の浄化と吸着材の再生が可能な「浄水装置」が記載され、この浄水装置には水の流入管と浄水又は再生排水の流出管が設けられると共に、加熱や流水の指示のためのタイマーを用いた制御回路も設けられているから、この証拠には、「濾材を収納する濾材容器と、前記濾材容器の内部を昇温させる加熱手段と、前記濾材容器に水を導入する流入管と、前記濾材容器からの浄水を吐出し、また前記濾材を洗浄した排水を吐出するための吐出管と、浄水を吐出するかまたは前記濾材を洗浄した排水を吐出するための弁手段と、前記加熱手段及び前記弁手段を制御するタイマーを用いた制御手段とを備え、前記加熱手段による前記濾材容器の加熱が終了した後、前記弁手段が動作することを特徴とする浄水装置。」の発明（以下「引用例１発明」という）が記載されていると云える。
　そこで、本件訂正発明１と上記引用例１発明とを対比すると、本件訂正発明１は、浄水又は加熱洗浄再生処理するための吐出管をそれぞれ別途設けると共に、その水路を切換えるための水路切換手段を設けているのに対し、引用例１発明は、濾材容器からの浄水及び再生処理水を吐出させるための１本の共用の吐出管しか設けていないから、両者は、少なくとも
（イ）「前記濾材容器からの浄水を吐出する第１の吐出管と前記濾材を洗浄した排水を吐出する第２の吐出管と前記第１の吐出管に水を導くか、前記第２の吐出管に水を導くかの切換を行う水路切換手段」の点、及び
（ロ）「前記水路切換手段は前記濾材容器の上方に設けられた第１の水路切換部と前記濾材容器の下方に設けられモータにより駆動される第２の水路切換部とを備え」た点で明らかに相違している。
　そして、上記引用例１には、浄化と再生の場合でも１本の吐出管を共用すること、また浄化水と再生処理水を切換える場合でも１本の吐出管の途中の分岐点で分管しこの分管にそれぞれ弁を設けた具体例しか記載されていないから、本件訂正発明１の上記（イ）及び（ロ）の点は、上記引用例１に記載の発明に基づいて当業者が容易に想到することができたものとすることができない。
　次に、上記引用例２乃至４について検討すると、これら証拠にも、単なるタイマーや切換弁に関する記載があるだけで、本件訂正発明１の上記「水路切換手段」の点については何ら記載又は示唆すらされていない。
　してみると、本件訂正発明１は、上記引用例１乃至４に記載の発明に基づいて当業者が容易に発明をすることができたものとすることはできない。
（ｉｉ）訂正発明２について
　本件訂正発明２は、上記訂正発明１と同様の上記「水路切換手段」を必須の構成とするものであるから、上記引用例１乃至４に記載の発明に基づいて当業者が容易に発明をすることができたものとすることはできない。
（ｉｉｉ）訂正発明３乃至５について
　これら発明も、上記訂正発明１又は２を引用してなるものであるから、上記（ｉ）又は（ｉｉ）で述べたと同様の理由により、上記引用例１乃至４に記載の発明に基づいて当業者が容易に発明をすることができたものとすることはできない。
　以上のとおり、本件訂正発明１乃至５は、特許出願の際独立して特許を受けることができるものである。
（５）むすび
　したがって、上記訂正請求は、特許法第１２０条の４第２項、同条第３項で準用する第１２６条第２項乃至第４項の規定に適合するので、当該訂正を認める。
３．特許異議申立ての理由の概要
（異議申立ての理由）
　特許異議申立人は、証拠方法として、甲第１号証（上記引用例１と同じ）、甲第２号証（上記引用例２と同じ）、甲第３号証（上記引用例３と同じ）及び甲第４号証（上記引用例４と同じ）を提出して、本件請求項１乃至６に係る発明は、上記甲第１号証に記載の発明に基づいて、又は上記甲第１号証乃至甲第４号証に記載の発明に基づいて当業者が容易に発明をすることができたものであるから、本件発明の特許は特許法第２９条第２項に違反してなされたものであり、取り消されるべきものであると主張している。
（当審の判断）
　この主張については、上記２．（４）で述べたとおりであるから、特許異議申立人の上記主張は採用することができない。
　
４．むすび
　以上のとおりであるから、特許異議申立ての理由及び証拠方法によっては、本件発明の特許を取り消すことはできない。
　また、他に本件発明に係る特許を取り消すべき理由を発見しない。
　よって、結論のとおり決定する。
【異議決定日】
平成１２年３月７日（２０００．３．７）
【訂正の要旨】
訂正の要旨
本件訂正の要旨は、本件特許第２７９７８１５号発明の明細書を平成１２年２月２２日付け手続補正書により補正された全文訂正明細書のとおりに、すなわち特許請求の範囲の減縮及び明りょうでない記載の釈明を目的として、次の（ｉ）及び（ｉｉ）のとおりに訂正するものである。
（ｉ）「特許請求の範囲」の欄
　特許請求の範囲の減縮を目的として、次のとおりに訂正する。
「【請求項１】濾材を収納する濾材容器と、前記濾材容器の内部を昇温させる加熱手段と、前記濾材容器に水を導入する流入管と、前記濾材容器からの浄水を吐出する第１の吐出管と、前記濾材を洗浄した排水を吐出する第２の吐出管と、前記第１の吐出管に水を導くか、前記第２の吐出管に水を導くかの切換を行う水路切換手段と、前記加熱手段及び前記水路切換手段を制御する制御手段と、時刻を入力する時刻入力手段と、入力された時刻で動作する時計とを備え、前記時計に基づいて、所定の時刻になったら前記制御手段は加熱モードに移行し、前記加熱手段を用いて、前記濾材容器を加熱する浄水装置であって，前記水路切換手段は、前記濾材容器の上方に設けられた第１の水路切換部と、前記濾材容器の下方に設けられ、モータにより駆動される第２の水路切換部とを備え、前記加熱手段による前記濾材容器の加熱が終了した後、前記水路切換手段が動作することを特徴とする浄水装置。
　【請求項２】濾材を収納する濾材容器と、前記濾材容器の内部を昇温させる加熱手段と、前記濾材容器に水を導入する流入管と、前記濾材容器からの浄水を吐出する第１の吐出管と、前記濾材を洗浄した排水を吐出する第２の吐出管と、時刻を入力する時刻入力手段と、前記時刻入力手段から入力された時刻で動作する時計と、前記第１の吐出管に水を導くか、前記第２の吐出管に水を導くかの切換を行う水路切換手段と、前記加熱手段及び前記水路切換手段を制御する制御手段とを備え、前記時計に基づいて、所定の時刻になったら前記制御手段は加熱モードに移行し、前記加熱手段を用いて、前記濾材容器を加熱する浄水装置であって、前記水路切換手段は、前記濾材容器の上方に設けられた第１の水路切換部と、前記濾材容器の下方に設けられ、モータにより駆動される第２の水路切換部とを備え、前記加熱手段による前記濾材容器の加熱が終了し、前記濾材容器内に通水して前記第２の吐出管から排水した後、前記水路切換手段を動作させることを特徴とする浄水装置。
　【請求項３】現在時刻を表示する表示手段を設けたことを特徴とする請求項１、２いずれか１記載の浄水装置。
　【請求項４】モータを濾材容器よりも下方に設けたことを特徴とする請求項１、２いずれか１記載の浄水装置。
　【請求項５】加熱手段を濾材容器の底部に設けたことを特徴とする請求項１、２いずれか１記載の浄水装置。」
（ｉｉ）「発明の詳細な説明」の欄
　明りょうでない記載の釈明を目的として、次のとおりに訂正する。
（イ）特許明細書の段落【００１０】を、
「【課題を解決するための手段】この目的を達成するために、濾材を収納する濾材容器と、濾材容器の内部を昇温させる加熱手段と、前記濾材容器に水を導入する流入管と、前記濾材容器からの浄水を吐出する第１の吐出管と、前記濾材を熱洗浄した排水を吐出する第２の吐出管と、第１の吐出管に水を導くか、第２の吐出管に水を導くかの切換を行う水路切換手段と、加熱手段及び水路切換手段を制御する制御手段とを備えた浄水装置であって、水路切換手段は、濾材容器の上方に設けられた第１の水路切換部と、濾材容器の下方に設けられ、モータにより駆動される第２の水路切換部とを備え、加熱手段による濾材容器の加熱が終了した後、モータを駆動させて前記水路切換手段を動作させるようにした。更に好ましくは加熱手段の動作が終了し、濾材容器内に通水して第１の吐出管から排水した後、水路切換手段を動作させるようにした。」と訂正する。
（ロ）特許明細書の段落【００１１】の一部を、
「また第１の吐出管に水を導くか、第２の吐出管に水を導くかの切換を行う水路切換手段と、加熱手段及び水路切換手段を制御する制御手段とを備えた浄水装置であって、水路切換手段は、濾材容器の上方に設けられた第１の水路切換部と、濾材容器の下方に設けられ、モータにより駆動される第２の水路切換部とを備え、加熱手段の動作を終了した後、モータを駆動させて水路切換手段を動作させるようにしたことにより、水路の切換を確実に行うことができ、浄水を吐出する第１の吐出管に汚水が混入することを防止できる。・・・濾材容器内に通水して第２の吐出管から排水した後、」と訂正する。
（ハ）特許明細書の段落【００２６】の一部を、
「また、モータにより駆動され、浄水を吐出する第１の吐出管に水を導くか、濾材の熱洗浄した排水を吐出する第２の吐出管に水を導くかの切換を行う水路切換手段と、前記加熱手段及び前記水路切換手段を制御する制御手段とを備えた浄水装置であって、水路切換手段は、濾材容器の上方に設けられた第１の水路切換部と、濾材容器の下方に設けられ、モータにより駆動される第２の水路切換部とを備え、加熱手段の動作を終了した後、モータを駆動させて前記水路切換手段を動作させるようにしたことにより、水路の切換を確実に行うことができ、浄水を吐出する第１の吐出管に排水が混入することを防止できるので、濾過水に不純物等が含まれない浄水装置を提供することができる。また例えば加熱中に誤って切換手段が切り換わることにより、」と訂正する。
（５４）【発明の名称】
浄水装置
（５７）【特許請求の範囲】
　【請求項１】濾材を収納する濾材容器と、前記濾材容器の内部を昇温させる加熱手段と、前記濾材容器に水を導入する流入管と、
前記濾材容器からの浄水を吐出する第１の吐出管と、前記濾材を洗浄した排水を吐出する第２の吐出管と、前記第１の吐出管に水を導くか、前記第２の吐出管に水を導くかの切換を行う水路切換手段と、前記加熱手段及び前記水路切換手段を制御する制御手段と、
とを
前記水路切換手段は、前記濾材容器の上方に設けられた第１の水路切換部と、前記濾材容器の下方に設けられ、モータにより駆動される第２の水路切換部とを備え、
、前
が
す
　【請求項２】濾材を収納する濾材容器と、前記濾材容器の内部を昇温させる加熱手段と、前記濾材容器に水を導入する流入管と、
前記濾材容器からの浄水を吐出する第１の吐出管と、前記濾材を洗浄した排水を吐出する第２の
、
及び前記水路切換手段
前記水路切換手段は、前記濾材容器の上方に設けられた第１の水路切換部と、前記濾材容器の下方に設けられ、モータにより駆動される第２の水路切換部とを備え、
前記第２の吐出管から
　【請求項３】現在時刻を表示する表示手段を設けたことを特徴とする請求項１，２いずれか１記載の浄水装置。
　【請求項４】モータを濾材容器よりも下方に設けたことを特徴とする請求項１，２いずれか１記載の浄水装置。
　【請求項５】加熱手段を濾材容器の底部に設けたことを特徴とする請求項１，２いずれか１記載の浄水装置。
【発明の詳細な説明】
　【０００１】
　【産業上の利用分野】本発明は活性炭等の濾材を再生利用することのできる浄水装置に関するものである。
　【０００２】
　【従来の技術】従来浄水器は一定期間使用すると、活性炭等が入ったカートリッジを交換していた。これは、長期間の使用により活性炭の吸着能力が劣化し、濾過水に不純物等が混入する割合が大きくなるためである。しかしながらカートリッジの交換は非常にコストがかかるために、熱水で活性炭を洗浄再生し、カートリッジの交換が不要な浄水器が開発された。以下その浄水器について説明する。
　【０００３】図１７は従来の浄水器を示す側断面図である。図１７において１は本体で、本体１の内部には活性炭２が収納されている。活性炭２は透水性の部材３，４によって外部に流出しないようになっている。５は本体１の上部に設けられた吐水管、６は本体１の下部に設けられた流入管である。
　【０００４】以上のように構成された浄水器について以下その動作を説明する。先ず濾過水を生成する場合について説明する。
　【０００５】先ず流入管６を水道の蛇口に接続し、水道水を活性炭２を通過させることによって、水道水の中の不純物やトリハロメタン等（以下不純物等と略す）を除去し、吐水管５から濾過水を得ることができる。
　【０００６】次に活性炭を洗浄する場合について説明する。吐水管５を熱水生成器に接続し、熱水を活性炭２に通すことによって活性炭２から不純物等を取り除き、その不純物を含んだ熱水を流入管６から排出する。
　【０００７】以下活性炭を洗浄しなければならない理由を説明する。活性炭は前述のように、水道水の中の不純物等を吸着するが、長期間使用していると、吸着能力が低下して、水道水のなかの不純物等を取り除くことができなくなる。従って上述のように活性炭に熱水を通して活性炭を熱洗浄することによって吸着能力を再生させていた。
　【０００８】
　【発明が解決しようとする課題】しかしながら前記従来の構成では、活性炭を洗浄する度に浄水器を熱水生成器等に直結しなければならず、非常に使い勝手が悪いという問題点があった。更に使用者が活性炭の洗浄を行うために、活性炭の洗浄間隔や、熱水の温度，熱水を活性炭に通す時間にばらつきが生じ、それに伴って活性炭の熱洗浄再生にもばらつきが生じるので、熱洗浄再生が不完全な時もあり、濾過水に不純物が多量に含まれるという問題点もあった。
　【０００９】本発明は前記従来の課題を解決するもので、活性炭の洗浄再生にばらつきが生じず、常に熱洗浄再生が十分行え、濾過水に不純物等が含まれない浄水装置を提供することを目的としている。
　【００１０】
　【課題を解決するための手段】この目的を達成するために、
濾材を収納する濾材容器と、濾材容器の内部を昇温させる加熱手段と、前記濾材容器に水を導入する流入管と、前記濾材容器からの浄水を吐出する第１の吐出管と、前記濾材を熱洗浄した排水を吐出する第２の吐出管と、第１の吐出管に水を導くか、第２の吐出管に水を導くかの切換を行う水路切換手段と、加熱手段及び水路切換手段を制御する制御手段とを備えた浄水装置であって、水路切換手段は、濾材容器の上方に設けられた第１の水路切換部と、濾材容器の下方に設けられ、モータにより駆動される第２の水路切換部とを備え、
第２の吐出管から
　【００１１】
　【作用】濾材容器の内部を昇温させる加熱手段と、時刻を入力する時刻入力手段と、加熱手段を制御する制御手段とを備え、入力された時刻に基づいて、所定の時刻になったら制御手段は加熱モードに移行し、加熱手段を用いて、濾材容器を加熱するようにしたことにより、浄水装置の動作をその内部に設けられた時計に基づいて行わせることができる。また時刻入力手段から加熱開始時刻を入力できるようにしたことにより、濾材の再生開始時刻を使用者の都合に合わせて任意に設定することができるようになる。更に、一旦現在の時刻と濾材の洗浄開始時刻を設定すると、濾材の洗浄再生を行う際にいちいちタイマーをセットしなくても、定期的にしかも確実に濾材の洗浄再生を行うことができるので、常時優れた濾過能力を有する信頼性の高い浄水装置とすることができる。更に現在時刻及び加熱開始時刻を表示できる表示手段を設けたことにより、必要なときにはいつでも現在時刻を使用者が確認することができる。更に加熱開始時刻を設定する際に事前に現在時刻を確認できるとともに加熱開始時刻を設定中にも今自分が何時にセットしているのかが表示手段に表示されるので、加熱開始時刻の設定をより確実に行うことができる。
また第１の吐出管に水を導くか、第２の吐出管に水を導くかの切換を行う
た浄水装置であって、水路切換手段は、濾材容器の上方に設けられた第１の水路切換部と、濾材容器の下方に設けられ、モータにより駆動される第２の水路切換部とを備え、
水路の切換を確実に行うことができ、浄水を吐出する第１の吐出管に汚水が混入することを防止できる。
して第２の吐出管から排水し
　【００１２】
　【実施例】以下本発明の浄水装置を適用，応用したものの代表例として浄水器を例に挙げながら説明する。図１は本発明の一実施例における浄水器を示す透視斜視図である。
　【００１３】図１において、７は本体ケース、８は本体ケース７の中に設けられ、耐熱及び耐圧性材料で構成された濾材容器で、濾材容器８の中には活性炭９が収納されている。活性炭９は従来と同様に透水性の部材（例えば目の細かな金網等）によって覆われている。１０は濾材容器８の内底部に設けられ、濾材容器８を加熱する加熱ヒーター、１１はサーミスタを有し濾材容器８の温度を検知する温度検知器で、温度検知器１１は濾材容器８の外側部に接触している。１２は切り換え弁を有するユニットで、ユニット１２には外部の水を装置内に導く流水管１３と、濾過水を吐出する水管１４とが接続されている。又ユニット部１２と濾材容器８との間には水管１５，１６が設けられており、さらに水平弁部１７との間にも水管１８が設けられている。水平弁部１７は円筒形を有しており、側面の中央部は濾材容器８の上面と連結している。また水平弁部１７には水管１８が連結されている側と反対側の端面に活性炭９を洗浄した熱水を外部へ放出する排水管１９が連結されている。水平弁部１７の中には弁部２０が収納されており、バネ２１によって水管１８側に付勢されている。２２，２３，２４はそれぞれユニット部１２の内部に設けられ周縁部に突出部を有した孔で、孔２２は水管１８に連結しており、孔２３は水管１５に連結しており、孔２４は水管１４に連結している。２５はユニット部１２の内部に回転可能に保持された切り換え弁で、切り換え弁２５には側面部に円周方向に沿って形成された溝２６，２７，２８がそれぞれ形成されている。溝２６，２８の形成位置は円周方向に沿って同じ位置に形成されているが、溝２７だけは異なる位置に形成されている。２９は切り換え弁２５の側面全周に設けられた溝である。３０，３１，３２はそれぞれ溝２６，２７，２８に保持されたボールで、ボール３０，３１，３２はそれぞれステンレスや樹脂等の錆びにくい材料によって構成されている。またボール３０は孔２２の開閉を行い、ボール３１は孔２３の開閉を行い、ボール３２は孔２４の開閉を行う。３３は溝２９に取り付けられた環状のパッキンで、パッキン３３はユニット部１２の内部空間を孔２２，２３が設けられた空間と孔２４が設けられた空間に分割している。このとき前述の流水管１３は孔２２，２３が設けられた空間の方に連結している。３４は切り換え弁２５を回転させるモーターである。以下モーター３４の回転が切り換え弁２５に伝えられる機構について説明する。モーター３４の回転軸にはウオームギア３５が設けられており、ウオームギア３５の回転はギア３６に伝えられ、さらにギア３６の回転は、ギア３６と同軸に設けられた径の小さなギア（図示せず）を介してギア３７に伝えられる。ギア３７は軸を介して切り換え弁２５の端面に接合されているので、ギア３７の回転に伴って切り換え弁２５も回転する。３８は切り換え弁２５のギア３７が取り付けられた側と反対側の端面に軸を介して取り付けられたカムで、カム３８には凸部が設けられている。３９はフォトインタラプタで構成されたスイッチ部、４０，４１はそれぞれマイクロスイッチで構成されたスイッチ部である。４２はモーター３５や加熱ヒーター１０等の制御を行うマイクロコンピューター等の部品が収納されている制御部で、制御部４２は断熱部材４３を介してユニット部１２の下に設けられている。４４は制御部４２に設けられた電源部である。
　【００１４】以上のように構成された浄水器について以下浄水時及び活性炭９の洗浄時の水の流れについて説明する。
　【００１５】先ず止水状態を説明する。図２（ａ）に示すようにユニット部１２に設けられた孔２２，２３，２４をそれぞれボール３０，３１，３２が塞いだ状態となっているので、加圧された水が流水管１３からユニット部１２に至っても水の流れは発生しない。また図２（ｂ）に示すようにカム３８の凸部はスイッチ部３９に設けられた溝内に位置している。
　【００１６】次に浄水状態を図３及び図４（ａ）（ｂ）を用いて説明する。止水状態からモーター３４を駆動して切り換え弁２５をカム３８の凸部がスイッチ部４１に近づいていく方に回転させる。そしてカム３８の凸部がスイッチ部４１を押圧するとモーター３４は止まり、切り換え弁２５はカム３８の凸部がスイッチ部４１を押圧した状態で静止する。すると図４（ａ）に示すように孔２２と孔２４の上からそれぞれボール３０，３２が移動し、孔２２及び孔２４をそれぞれ開放する。前述したように加圧された水は、図３に示すとおり流水管１３を経由してユニット部１２に至っているので、孔２２が開放されることによって水は孔２２から水管１８へ流れ、更に水平弁部１７に流れ込む。水平弁部１７に流れ込んだ水は弁部２０をバネ２１の弾性力に抗して水平に移動させる。前述したように水平弁部２０の側部の中央付近には濾材容器８の上面に連結した水管が設けられているので、水平弁部１７に流れ込んだ水が弁部２０を所定量移動させると、その水は濾材容器８の中に流れ込む。濾材容器８の中に流れ込んだ水は活性炭によって浄水され、濾材容器８の下部に設けられた水管１６を経由してユニット部１２の方へ再度流れ込む。この時パッキン３３が設けられているので、流水管１３からユニット部１２流れ込む水と、濾材容器８からユニット部１２に流れ込む水は混合することはない。ユニット部１２に流れ込んだ浄水した水は孔２４及び水管１４を通って外部の放出される。浄水状態を終了する時には、所定の操作を行って、モーター３４を駆動し、切り換え弁２５をカム３８の凸部がスイッチ部３９に近づいていく方に回転させる。そしてカム３８の凸部がスイッチ部３９に作用するとモーター３４は回転を止め、図１に示すような止水状態となる。
　【００１７】次に活性炭の浄化状態について図５及び図６（ａ）（ｂ）を用いて説明する。先ず止水状態で、加熱ヒーター１０に通電して濾材容器８の中を加熱し、活性炭に吸着された不純物等を取り除く。そして濾材容器８の中を所定温度（本実施例では６５℃程度で行ったが、活性炭から不純物等が取り除ける温度であれば何℃でもよい）で所定時間（本実施例では３０分〜６０分程度行ったが、これは活性炭の容量等によって適宜選択する必要がある）加熱した後に、止水状態からモーター３４を駆動して切り換え弁２５をカム３８の凸部がスイッチ部４０に近づいていく方に回転させる。そしてカム３８の凸部がスイッチ部４０を押圧するとモーター３４は止まり、切り換え弁２５はカム３８の凸部がスイッチ部４０を押圧した状態で静止する。すると図６（ａ）に示すように孔２３上からボール３１が移動し、孔２３を開放する。加圧された水は流水管１３を経由してユニット部１２に至っているので、孔２３が開放されることによって水は孔２３から水管１５を通って濾材容器８に流れ込む。すると活性炭を洗浄した後の熱水（不純物等を含んだ水）は、水管１５から流れ込んで来た水によって濾材容器８の上面に追いやられ、水平弁部１７を通って水管１９から排水される。所定時間水管１５から濾材容器８に水を流し込んだら、所定の操作を行って、モーター３４を駆動し、切り換え弁２５をカム３８の凸部がスイッチ部３９に近づいていく方に回転させる。そしてカム３８の凸部がスイッチ部３９に作用するとモーター３４は回転を止め、図１に示すような止水状態となる。以上の様に、濾材容器８の中を所定の温度で所定の時間加熱した後、モーター３４を駆動して切り換え弁２５を動作させることにより、例えば加熱中に切り換え弁２５が誤って切り換わってしまう可能性を大幅に低減することができる。従って、活性炭のカスや不純物等を含有した熱水や蒸気等が所定の出口以外の場所から噴き出し、周囲を汚したり、水浸しにしてしまう等の不都合の発生をより確実に防止することができるので、衛生的で安全な浄水装置を提供することができる。更に濾材容器８の中を所定の温度で所定の時間加熱した後、濾材容器８内に通水して濾材容器８内部の水を排水してから、モーター３４を駆動して切り換え弁２５を動作させることにより、前述の効果の他、濾材容器８内の再生洗浄に用いられた汚水を確実に排出することができ、汚水が浄水に混入する危険性を最小限に抑制することができるので好ましい。
　【００１８】図７は本実施例の浄水器を示す外観斜視図である。図７において４５は浄水器本体、４６は時刻や熱洗浄中であること等を表示する表示部、４７は本体４５の操作を行う操作部であり、操作部４７の詳細は図８に示す。図８は操作部の拡大図である。図８において４８は現在の時刻を設定する操作ボタン、４９は本体４５を止水状態にするとともに時刻設定の際に時刻を繰り上げる操作ボタン、５０は本体４５を浄水状態にするとともに時刻設定の際に時刻を繰り下げる操作ボタン、５１は手動によって活性炭の洗浄を行うとともに「時」や「分」等の桁送りを行う操作ボタン、５２は活性炭の洗浄を特定時刻に行うように設定する操作ボタンである。現在の時刻を設定する場合には、操作ボタン４８を押して現在時刻設定モードにして、操作ボタン４９及び操作ボタン５０によって、所定の「時」に設定した後に操作ボタン５１によって桁送りをし、さらに操作ボタン４９及び操作ボタン５０によって所定の「分」に設定する。さらに活性炭洗浄の時刻を設定する場合には、操作ボタン５２を押して活性炭洗浄時刻設定モードにして、現在時刻設定と同様に操作ボタン４９，５０，５１を用いて所定の時間に設定する。５３は本体４５内の電源に接続されているプラグ、５４は一端が前述した流水管（図示せず）に接続されたチューブ、５５は水道栓５６に取り付けられた連結部材で、連結部材５５にはチューブ５４の他端が接続されている。連結部材５５にはレバー５７が設けられており、レバー５７の切り替えによって水道水を本体４５に送るか、原水として連結部材５５から放出されるかを選択することができる。
　【００１９】この様に使用者が現在の時刻を入力できるような構成としたことにより、浄水器４５に時計を設けることができるので、制御手段の動作をこの時計に従って行わせることができるようになる。従って動作が正確で確実な信頼性の高い浄水装置とすることができる。また濾材の再生洗浄を開始する特定の時刻も使用者が入力できる様な構成としたことにより、濾材の再生開始時刻を使用者の都合に合わせて任意に設定することができるようになる。更に、一旦現在の時刻と濾材の洗浄開始時刻を設定すると、濾材の洗浄再生を行う際にいちいちタイマーをセットしなくても、定期的にしかも確実に濾材の洗浄再生を行うことができるので、常時優れた濾過能力を有する信頼性の高い浄水装置とすることができる。また設定された現在の時刻を表示部４６に表示することにより、再生開始時刻を設定する際に現在の時刻を参照しながら再生開始時刻を設定することができ、開始時刻を使用者にとって最適な時刻にすることが容易に行える。また再生開始時刻設定中にもセット中の時刻が表示できるようにすることにより、今自分が何時にセットしようとしているのかを確認しながら時刻の設定を行うことができるので、より確実に再生開始時刻の設定を行うことができる。以上のように構成された浄水器の制御方法について説明する。図９は本実施例の浄水器のブロック図である。
　【００２０】図９において、１０は加熱ヒーター、１１は温度検知器、４６は表示部、４７は操作部、３９，４０，４１はそれぞれスイッチ部でこれらは図１に記載したものと同じである。５８は制御部４２の中に設けられたマイクロコンピューター（以下マイコンと略す）で、マイコン５８にはクロック信号を発生する発振手段５８ａが設けられている。５９はモーター３４を駆動し、マイコン５８によって制御されるモーター駆動回路、６０は加熱ヒーター１０を駆動し、マイコン５８及び温度検知器１１によって制御されるヒーター駆動回路である。ヒーター駆動回路６０がマイコン５８及び温度検知器１１の双方によって制御する理由は、加熱ヒーター１０が発熱している最中に、マイコン５８が暴走すると、濾材容器８の中が温度が所定の温度以上になってもなお加熱し続けることが考えられ、熱による装置の破損等が発生するので、温度検知器１１によってもヒーター駆動回路６０の制御を行なわせている。すなわち温度検知器１１が所定の温度以上の温度を検知したら、ヒーター駆動回路６０の動作をマイコン５８とは別に止めるようにすることによって濾材容器８内の異常加熱を防止している。
　【００２１】以下のように構成された制御系について図１０を用いて動作を説明する。まず装置に電源が投入されると、まずマイコン５８は切り換え弁２５の現在位置をスイッチ部３９，４０，４１からの出力で判断する。その後に装置は停電復帰状態となり、表示部４６の時刻部分が点灯しだす。そして前述のように操作部４７のボタンを押して現在の時間を設定する。設定が終了すると、切り換え弁２５が止水状態になっていなければ、マイコン５８はモーター駆動回路５９に信号を送り、モーター３４を駆動させ、切り換え弁２５を図１に示すように止水状態の位置に回転させる。さらに濾材容器８の加熱及び濾材容器の中の熱水の排水を１サイクルとした場合、これを１〜数サイクル設定する（本実施例の場合Ｎ回とする）。またこの時の濾材容器８の保温時間も予め設定しておく。このような処理をＳＴＥＰ（以下Ｓと略す）１の動作のスタートまでに行う。Ｓ１で動作がスタートすると、先ずＳ２で操作部４７のボタンのキースキャンを行う。Ｓ２は図１１に示すような処理が行われている。先ずＳ３でモーター３４のＯＮ／ＯＦＦを制御し、Ｓ４で表示部４６の制御を行う。次にＳ５で止水・浄水・熱洗浄・熱洗浄時刻設定等の操作部４７のボタンをスキャンして判断する。その後にＳ６で切り換え弁２５の現在位置をスイッチ部３９，４０，４１の出力をスキャンする。このようにＳ２のキースキャンの処理が完了すると、次にＳ７のモード切換を行う。モード切換は図１２に示すような処理が行われる。まずＳ８で操作部４７のボタンが押されたかどうかを判断する。すなわちＳ５で操作部４７のボタンをスキャンした際に押されたボタンがあったかどうかを判断する。なんらかのボタンが押されると、Ｓ９でその押されたボタンが止水の操作ボタン４９かどうかを判断する。押されたボタンが止水の操作ボタン４９であればＳ１０で止水モードをセットし、Ｓ７に戻る。また押されたボタンが止水の操作ボタンでない場合にはＳ１１に進み、押されたボタンが浄水の操作ボタン５０かどうかを判断する。ここで押されたボタンが浄水の操作ボタン５０であればＳ１２に進み浄水モードをセットし、Ｓ７に戻る。押されたボタンが浄水の操作ボタン５０でない場合にはＳ１３に進み、押されたボタンが手動熱洗浄の操作ボタン５１かどうかを判断する。ここで押されたボタンが手動熱洗浄の操作ボタン５１であればＳ１４進み熱洗浄モード及び保温モードをセットし、Ｓ７に戻る。押されたボタンが手動熱洗浄の操作ボタン５１でなければＳ１５に進み、押されたボタンが熱洗浄時刻設定の操作ボタン５２かどうかを判断する。ここで押されたボタンが熱洗浄時刻設定の操作ボタン５２であればＳ１６に進み、現在熱洗浄モードか否かを判断する。熱洗浄モードであればＳ１７に進んで、止水モードをセットし、Ｓ７に戻る。またＳ１６で熱洗浄モードでなければ、Ｓ１８に進み熱洗浄時刻設定モードをセットしてＳ７に戻る。Ｓ１５で押されたボタンが熱洗浄時刻設定の操作ボタン５２でなければ、Ｓ７に戻る。Ｓ８で操作部４７のボタンが押されていなかったら、Ｓ１９に進み、熱洗浄設定時刻になったかどうかを判断する。
　【００２２】熱洗浄設定時刻になったらＳ１４の熱洗浄モードをセットし、Ｓ７に戻る。またＳ１９で熱洗浄設定時刻になっていなければＳ７に戻る。Ｓ７の処理が済むと、Ｓ２０に進みモードが止水モードがセットされているか否かを判定し、止水モードにセットされていなければ図１３の処理に進む。Ｓ２１でモードが浄水モードにセットされているか否かを判定し、浄水モードにセットされていればＳ２２に進み、もし加熱ヒーター１０が加熱状態であれば、マイコン５８はヒーター駆動回路６０に信号を送り、加熱ヒーター１０への通電を終了させる。次にＳ２３に進み切り換え弁２５が浄水位置になっているか否か（すなわち図３に示すような位置に切り換え弁２５が位置しているか否か）をスイッチ部３９，４０，４１からの出力を見てマイコン５８が判定する。この時切り換え弁２５が浄水位置に到達していなければ、Ｓ２４に進みマイコンがモーター駆動回路５９に信号を送り、モーター３４を駆動させ、切り換え弁２５を浄水位置になるように移動させ、その後にＳ１とＳ２の間に戻る。またＳ２３において切り換え弁２５が浄水位置になっていればＳ２５でマイコン５８はモーター駆動回路５９に信号を送り、モーター３４の駆動を停止させ、その後にＳ１とＳ２の間に戻る。Ｓ２１でモードが浄水モードにセットされていなかったら、図１４の処理に進む。Ｓ２６でモードが熱洗浄モードにセットされているか否かを判断し、熱洗浄モードにセットされていなければＳ２７に進む。Ｓ２７ではモードが熱洗浄時刻設定モードにセットされているかどうかを判断し、熱洗浄時刻設定モードにセットされていればＳ２８に進み、前述したように操作部４７の操作ボタンによって熱洗浄する時刻を設定する。そしてその後にＳ１とＳ２の間に戻る。またＳ２７で熱洗浄時刻設定モードに設定されていなければＳ１とＳ２の間に戻る。Ｓ２６で熱洗浄モードにセットされていれば、Ｓ２９に進み加熱ヒーター１０に通電していなければ、マイコン５８はヒーター駆動回路６０に信号を送り、加熱ヒーター１０に通電して濾材容器８の中を加熱する。次にＳ３０で保温モードが設定されているか否かを判断し、設定されていれば図１５に示す処理に進む。Ｓ３１で切り換え弁２５が図１に示すような止水位置になっているかどうかを、スイッチ部３９，４０，４１の出力によってマイコンが判断し、止水位置になっていればＳ３２に進む。Ｓ３２ではマイコン５８がモーター駆動回路５９に信号を送り、モーター３４を駆動させ、切り換え弁２５を回転させる。その後にＳ１とＳ２の間に戻る。Ｓ３１で切り換え弁２５の位置が止水位置になっていればＳ３３に進み、Ｓ３３でモーター３４が駆動していたら、マイコン５８がモーター駆動回路５９に信号を出力し、モーター３４の駆動を中止させる。その後Ｓ３４で加熱ヒーター１０の通電時間、すなわち濾材容器８の保温時間をカウントする。次にＳ３５にて予め設定された保温時間と、Ｓ３４でカウントした保温時間を比較してタイムオーバーになっていればＳ３６に進み、なっていなければＳ１とＳ２の間に戻る。Ｓ３６では再度保温時間をセットし、その後にＳ３７で保温モードを排水モードに切り換えて、Ｓ１とＳ２の間に戻る。Ｓ３０で保温モードにセットされていなければ、Ｓ３８に進み、切り換え弁２５が図５に示すように排水位置になっているか否かをマイコン５８がスイッチ部３９，４０，４１からの出力を基に判断し、切り換え弁２５が排水位置になっていなければＳ３９に進む。Ｓ３９ではマイコン５８からモーター駆動回路５９に信号を出力してモーター３４を駆動させ、切り換え弁２５を排水位置に移動させる。次にＳ４０に進んで、濾材容器８の中の水を排水する時間、すなわち排水時間を所定の時間に設定した後にＳ１とＳ２の間に戻る。Ｓ３８で切り換え弁２５が排水位置になっていたら、Ｓ４１に進む。Ｓ４１でモーター３４が駆動していたら、マイコン５８はモーター駆動回路５９に信号を送り、モーター３４の駆動を停止させる。その後Ｓ４２に進み予め設定されたサイクル数と現在のサイクル数を比較し、現在のサイクルが予め設定されたサイクル数になったらＳ４３に進み、現在のサイクル数を０回に設定し直す。そしてＳ４４で熱洗浄モードを止水モードに切り換えるとともに、洗浄中断モードを設定し、その後にＳ１とＳ２の間に戻る。Ｓ４２で現在のサイクル数が予め設定されたサイクル数より少なかったらＳ４５に進んで現在の排水時間をカウントする。そしてＳ４６でＳ４０で設定された排水時間と現在の排水時間を比較し、タイムオーバーとなっていなければＳ１とＳ２の間に戻り、なっていればＳ４７に進む。Ｓ４７では排水モードを保温モードに切り換えて、更にＳ４８でサイクル数を１加算してＳ１とＳ２の間に戻る。
　【００２３】Ｓ２０で止水モードがセットされていればＳ４９に進む。Ｓ４９では加熱ヒーター１０に通電されていれば、マイコン５８がヒーター駆動回路６０に信号を出力して加熱ヒーター１０の通電を停止させる。そしてＳ５０に進み、熱洗浄モードが設定されているか否かを判断し、設定されていれば図１６の処理に進む。Ｓ５１では切り換え弁２５が図５に示すような排水位置になっているか否かをマイコン５８がスイッチ部３９，４０，４１からの出力によって判断し、切り換え弁２５が排水位置になかったらＳ５２に進む。Ｓ５２ではマイコン５８がモーター駆動回路５９に信号を出力してモーター３４を駆動させて、切り換え弁２５を回転させ、その後にＳ１とＳ２の間に戻る。Ｓ５１で切り換え弁２５が排水位置になっていたら、Ｓ５３に進み、モーター３４が駆動していたらマイコン５８がモーター駆動回路５９に信号を出力してモーター３４の駆動を停止させる。次にＳ５４で排水時間をカウントし、Ｓ５５で設定された排水時間と現在の排水時間を比較してタイムオーバーであればＳ５６に進み洗浄中断モードを解除し、Ｓ１とＳ２の間に戻り、Ｓ５５でタイムオーバーでなかったらＳ１とＳ２の間に戻る。Ｓ５０で洗浄中断モードでなかったらＳ５７に進み切り換え弁２５が止水位置であるか否かを判断し、止水位置でなかったら、Ｓ５８に進んでモーター３４が駆動していなかったらマイコン５８がモーター駆動回路５９に信号を出力してモーター３４を駆動させ、切り換え弁２５を図１に示す止水位置に移動させ、Ｓ１とＳ２の間に戻る。Ｓ５７で切り換え弁２５が止水位置であればＳ５９に進み、モーター３４が駆動していればマイコン５８がモーター駆動回路５９に信号を出力してモーター３４の駆動を停止させ、その後にＳ１とＳ２の間に戻る。
　【００２４】本実施例では以上のような構成及び制御を行うことによって、自動的に活性炭９の洗浄が行えるとともに、活性炭９の確実な洗浄すなわち活性炭の表面及び細孔に付着した不純物等を確実に取り除けるので、濾過水に不純物が混入することはない。
　【００２５】なお本実施例では濾材として活性炭を用いたが、熱水で不純物等が除ける濾材であれば何でもよい。例えばイオン交換樹脂も応用可能である。また加熱ヒーター１０を加熱効率を良くするために濾材容器８の内底部に設けたが、濾材容器８の内部であればどこでもよい。さらに加熱ヒーター１０を濾材容器８の外部に接触させたり、濾材容器８から離れた位置に設けて、濾材容器８を加熱したりしてもよい。また温度検知器１１を濾材容器の外側部に設けたが内部に設けてもよい。
　【００２６】
　【発明の効果】本発明は、濾材容器の内部を昇温させる加熱手段と、時刻を入力する時刻入力手段と、時刻入力手段から入力された時刻で動作する時計と、加熱手段を制御する制御手段とを備え、入力された時刻に基づいて、所定の時刻になったら制御手段は加熱モードに移行し、加熱手段を用いて、濾材容器を加熱するようにしたことにより、浄水装置の動作をその内部に設けられた時計に基づいて行わせることができるので、加熱モードヘの移行動作が正確で確実な信頼性の高い浄水装置とすることができる。また、モータにより駆動され、浄水を吐出する第１の吐出管に水を導くか、濾材の熱洗浄した排水を吐出する第２の吐出管に水を導くかの切換を行う水路切換手段と、前記加熱手段及び前記水路切換手段を制御する制御手段とを備え
た浄水装置であって、水路切換手段は、濾材容器の上方に設けられた第１の水路切換部と、濾材容器の下方に設けられ、モータにより駆動される第２の水路切換部とを備え、